(57)【要約】【課題】本考案は、オルゴールに対する幼児や子供の興味をより一層喚起するために、中空体の内部に可動可能に設けた可動物体と、中空体の内部に設けた可動物体を可動せしめるオルゴール装置と、照明灯により中空体の内部を照明可能にして、スイッチ体の操作により、可動物体の可動と照明灯の点灯とを実現し、拡大覗見装置によって内部を覗き見る可能にして、この種のオルゴールに対する幼児や子供の興味や好奇心をより一層喚起することを特徴とする。【解決手段】中空体の内部に可動可能に設けた可動物体と、中空体の内部に設けた可動物体を可動せしめるオルゴール装置と、中空体の内部を照明可能に設けた照明灯と、中空体に貫通して突設し内部を覗き見可能にした拡大覗見装置とからなり、中空体に設けたスイッチ体の操作によりオルゴール装置の駆動と照明灯の点灯とを可能にしてなることを特徴としている。【選択図】　　　　図１
0003096849.tif 000002
【実用新案登録請求の範囲】
【請求項１】
中空体の内部に可動可能に設けた可動物体と、
中空体の内部に設けた可動物体を可動せしめるオルゴール装置と、
中空体の内部を照明可能に設けた照明灯と、
中空体に貫通して突設し内部を覗き見可能にした拡大覗見装置とからなり、
中空体に設けたスイッチ体の操作によりオルゴール装置の駆動と照明灯の点灯とを可能にしてなることを特徴とする覗き見可能に可動物体を設けてなるオルゴール装置。
【請求項２】
ハウス状体に形成した中空体の内部に可動可能に設けた人形や動物等の任意形状に形成した可動物体と、
中空体の内部に設けた可動物体を可動せしめるオルゴール装置と、
中空体の内部を照明可能に設けた照明灯と、
中空体の内部に貫通して突設し覗き見可能にした拡大覗見装置とからなり、
中空体に設けたスイッチ体の操作によりオルゴール装置の駆動と照明灯の点灯とを可能にしてなることを特徴とする覗き見可能に可動物体を設けてなるオルゴール装置。
【請求項３】
オルゴール装置が、ネジ巻ゼンマイ回旋駆動のオルゴール装置であり該オルゴール装置の巻ネジが中空体の外方に突設されてなる請求項１、２、の覗き見可能に可動物体を設けてなるオルゴール装置。
【請求項４】
拡大覗見装置が、対物レンズと接眼レンズとからなる望遠鏡であり中空体の内部の可動物体を拡大して覗き見可能にしてなる請求項１、２、３の覗き見可能に可動物体を設けてなるオルゴール装置。
【請求項５】
スイッチ体が、ハウス状に形成した中空体の内部から煙突状に突出し立設してなる請求項２、３、４の覗き見可能に可動物体を設けてなるオルゴール装置。
【請求項６】
可動物体が、外観形状又は意匠或いは色彩が互いに異なる複数に形成され、かつ、複数の可動物体が相互に親子や友達や家族や楽器の演奏等特定の関連性を有するように設けられてなる請求項１、２、３、４、５の覗き見可能に可動物体を設けてなるオルゴール装置。
【考案の詳細な説明】
【０００１】
【考案の属する技術分野】
本考案は、覗き見可能に可動物体を設けてなるオルゴール装置に関するものである。
【０００２】
【従来の技術】
オルゴール装置によるメロディー旋律の発音と同時に、オルゴール装置を駆動源として人形や動物その他の任意形状の物体を可動せしめることにより、この種の物品に対する興趣を喚起せしめるオルゴール装置は、既に提案されている。
この種物品たる従来のオルゴール装置は，オルゴール装置の駆動によるメロディー旋律の発音と同時に、オルゴール装置によるメロディー旋律の発音のための駆動を利用してオルゴール装置に設けた人形や動物その他の任意形状の物体を、回転或いは揺動等の可動せしめるものであった。
【０００３】
しかし、この種物品の主たる需要者たる幼児・子供等は勿論のこと人々は、本来可愛らしい動物や昆虫等の生き物の生存の状態や活動実体、あるいは、仮想動物や空想物語の登場人物等の森の小人等の動静の態様を、そっと覗いて見たという好奇心、更には、仲間内や他人の家庭生活を覗き見したいという強い衝動的な欲求・欲望を本能的に有しているものであるが、従来この種の人間が本能的に有している好奇心や欲求・欲望を満足せしめ、しかも、物品を通して知らず知らずに幼児や子供の好奇心を満足せしめ、幼児や子供に遊びを通して事物に対する深い観察研究心や探求心を植え付け、将来の成長過程における学習意欲を向上せしめることができるようなオルゴール装置は提供されてはいなという問題があった。
【０００４】
また、単に人が本能的に保有しているこの種の覗き見趣味を満足せしめることのみを目的とする物品であっては，他人の家庭生活や他人の屋内を覗き見るという品性下劣な覗き見趣味のみを増長せしめるのみであり、この種物品の主たる需要者の幼児子供の情緒発育には役立つどころか、悪癖のみを増大せしめる恐れがあるという問題があった。
【０００５】
この幼児子供が、大きな興味や好奇心を抱く可愛らしい動物や昆虫や人形等が活動し実際に動いている動静の状態を覗いて見たいという本能的な欲求を満足せしめるために、可動物体を設けた器体にオルゴール装置を内蔵し、オルゴール装置によるメロディー旋律の発音と可動物体の駆動とを行ない、器体内の可動物体を外部か見ることができるようにしたオルゴール装置として特開平７−２２２８７３号や実開平５−８４３９５号が提供されているが、しかし、これらのオルゴール装置においては、オルゴール装置によりメロディー旋律の発音と可動物体の駆動とを行ない、器体内の可動物体を外部から見ることはできるが、幼児子供が自ら能動的に、かつ、積極的にハウス状体に形成した中空体の内部において、実際に動いている状態の可愛らしい動物や昆虫や人形等の可動物体を、外部から拡大しながら覗いて見ることにより好奇心を満足せしめ、その結果として幼児や子供が遊びを通して観察研究心を植え付け学習意欲を向上せしめるものは提供されないという欠点があった。
【０００６】
【考案が解決しようとする課題】
解決しようとする問題点は、ハウス状体の中空体の内部の動物や人形や昆虫等の任意形状の可動物体を、任意に動かし、その動く状態を外部から積極的に自ら，拡大して覗き見ることが、できない点である。
【０００７】
【課題を解決するための手段】
本考案の覗き見可能に可動物体を設けてなるオルゴール装置は、中空体の内部に可動可能に設けた可動物体と、中空体の内部に設けた可動物体を可動せしめるオルゴール装置と、中空体の内部を照明可能に設けた照明灯と、中空体に貫通して突設し内部を覗き見可能にした拡大覗見装置とからなり、中空体に設けたスイッチ体の操作によりオルゴール装置の駆動と照明灯の点灯とを可能にしてなることを特徴とするものである
【０００８】
本考案の覗き見可能に可動物体を設けてなるオルゴール装置は、ハウス状体に形成した中空体の内部に可動可能に設けた人形や動物等の任意形状に形成した可動物体と、中空体の内部に設けた可動物体を可動せしめるオルゴール装置と、
中空体の内部を照明可能に設けた照明灯と、中空体の内部に貫通して突設し覗き見可能にした拡大覗見装置とからなり、中空体に設けたスイッチ体の操作によりオルゴール装置の駆動と照明灯の点灯とを可能にしてなることを特徴とするものである。
【０００９】
本考案の覗き見可能に可動物体を設けてなるオルゴール装置は、オルゴール装置が、ネジ巻ゼンマイ回旋駆動のオルゴール装置であり該オルゴール装置の巻ネジが中空体の外方に突設されてなるものである。
【００１０】
本考案の覗き見可能に可動物体を設けてなるオルゴール装置は、拡大覗見装置が、対物レンズと接眼レンズとからなる望遠鏡であり中空体の内部の可動物体を拡大して覗き見可能にしてなるものである。
【００１１】
本考案の覗き見可能に可動物体を設けてなるオルゴール装置は、スイッチ体が、ハウス状に形成した中空体の内部から煙突状に突出し、立設してなるものである。
【００１２】
本考案の覗き見可能に可動物体を設けてなるオルゴール装置は、可動物体が、外観形状又は意匠或いは色彩が互いに異なる複数に形成され、かつ、複数の可動物体が相互に親子や友達や家族や楽器の演奏等特定の関連性を有するように設けられてなるものである。
【００１３】
【考案の実施の形態】
小さなハウス状の中空体の内部で、可愛らしい人形や動物や昆虫や仮想動物等の任意形状の可動物体が、オルゴール装置によりメロディー旋律を発音しながら、恰も生きているが如く可働する状態を内部を拡大して覗き見ることにより、幼児・子供が有する好奇心を掻き立て、遊びを通して事物に対す深い観察研究心や探求心を植え付け、幼児・子供の将来の成長過程における学習意欲を向上せしめるという目的を、小さなハウス状体に形成した中空体の内部に、オルゴール装置により可動される可愛らしい人形や動物や昆虫等の擬似物体の可動物体を設け，幼児・子供達が自らスイッチ体の操作することにより、オルゴール装置によるメロディー旋律の発音と可動物体の可動を可能とし、人形や動物や昆虫等の擬似物体が恰も生きている物の如く活動している状態を、中空体を貫通して突設した拡大覗見装置により内部を拡大して覗き見可能にすることにより実現した。
【００１４】
【実施例】
図１は、本考案の斜視図であり、本考案の装置本体１は、ハウス状体２ａに形成した中空体２と、該中空体２のハウス状体２ａの屋根３に上下動自在に附勢して立設したスイッチ体４と、該スイッチ体４を立設した屋根３と対向方向の屋根３を貫通して突設した拡大覗見装置５とからなっている。
中空体２のハウス状体２ａは、例えばヨーロッパ風の家屋状に形成した中空箱状体に形成し、該中空体２のハウス状体２ａの屋根３に突設した拡大覗見装置５は、屋根３の外側に突出した端部には、接眼レンズ６が設けられハウス状体２ａ内に挿入した端部には対物レズ７が設けられた望遠鏡の機能を有し，接眼レンズ６を通して中空体２のハウス状体２ａの内部が、拡大して覗き見できるように設けられている。
【００１５】
中空体２のハウス状体２ａに形成した内部の下部方向には、図２、図３、図４に示す如く、水平方向に仕切床面８が張設され、該仕切床面８には隅部方向には、下端方向を略カギの手状に屈曲した金属棒体のスイッチ支持体９が貫通して設けられ、該スイッチ支持体９の上端はスイッチ体４の下側面に挿入固着され、かつ、前記仕切床面８とスイッチ体４との間のスイッチ支持体９には、コイルバネ１０が挿嵌されており、該コイルバネ１０によりスイッチ体４を上下動可能に上方へ附勢して支持している。
【００１６】
仕切床面８のスイッチ体４方向には、仕切壁１１が垂設されてハウス状体２ａの中空体２内を区画し、該仕切壁１１に近接して可動物体１２が、仕切床面８を貫通した支持軸体１３により可動可能に支持れている。
可動物体１２の対向方向の中空体２の隅部方向には、照明灯１４が可動物体１２方向を点灯して照明可能に仕切床面８に立設している。
【００１７】
可動物体１２に近接した位置の仕切床面８上には、可動物体１２と一定の関連性を有する複数の物体１５が必要に応じて配置して設けられている。
物体１５は、例えば、可動物体１２が兎の動物であれば，臼とキネと餅と蒸篭と米俵の如く、何らかの物語性や特定の関連性を直ちに感得されるような物品を配置するものであり、このような特定の関連性を有する物品を配置することによりハウス状体２ａの内部を拡大覗見装置５により覗き見た幼児や子供が容易に物語性や関連性を感得し、興趣を喚起することができるという効果がある。
【００１８】
図３、図４、図５は、本考案の装置本体１におけるスイッチ体４をコイルバネ１０による附勢力に抗して押し下げ、該スイッチ体４を上下動せるとにより、オルゴール装置１６によるネジ巻ゼンマイによる回旋駆動力を利用してオルゴールによるメロディーの旋律の発音と同時に可動物体１２の可動を行わしめる駆動機構１８と、照明灯１４の点灯と消灯の機構を示すものである。
なお、、オルゴール装置１６の巻きネジ１７を巻くことにより、ネジ巻ゼンマイによる回旋駆動力を利用してなるオルゴールは、従来公知のものであり、ネジ巻ゼンマイによる回旋駆動力を利用してオルゴールによるメロディーの旋律の発音せしめ、同時に、オルゴールのネジ巻ゼンマイによる回旋駆動力を利用して、中空体２内の可動物体１２を可動せしめる機構である。
【００１９】
図５においてオルゴール装置１６における駆動機構１８は、ネジ巻ゼンマイ回旋駆動体１９と、該ネジ巻ゼンマイ回旋駆動体１９による駆動力を伝達する伝動歯車２０乃至伝動歯車２８とからなり、伝動歯車２３に噛み合った噛合回転軸２９による回転をスイッチ体４に連設したスイッチ支持体９の略カギの手状に屈曲した下方先端方向が、スイッチ体４をコイルバネ１０による附勢力に抗して押し下げて上下動せるとにより、図３、図５に示す如く、伝動歯車２３に噛み合った噛合回転軸２９に同軸に設けた回転羽根体３１に当接し、あるは、離脱することにより、オルゴール装置１６における駆動機構１８におけるネジ巻ゼンマイ回旋駆動体１９による駆動力を停止し，或いは回転駆動力を伝達し駆動せしめるものである。
即ち、スイッチ体４を押し下げて上下動せるとにより、オルゴールのドラム３２を回転駆動せしめてメロディーの旋律の発音と停止とを行ない、同時に、可動物体１２の可動と停止とを可能にしてなるものである。
【００２０】
オルゴール装置１６における駆動機構１８のネジ巻ゼンマイ回旋駆動体１９による駆動力の伝達により、可動物体１２の回転駆動による可動は、ネジ巻ゼンマイ回旋駆動体１９のゼンマイ解旋により伝動歯車２０が回転し同軸に設けた伝動歯車２５とこれに噛み合った伝動歯車２６が回転し、該伝動歯車２６と同軸に設けた伝動歯車２７を介して伝動歯車２８が噛み合い回転し、該伝動歯車２８の回転軸と同軸に、かつ、一体に設けた支持軸体１３が回転し，該支持軸体１３に同軸に設けた可動物体１２が可動するものである。
該可動物体１２の可動と停止は、上記において説明した如く、スイッチ体４を押し下げて上下動せるとにより、実現される。
【００２１】
照明灯１４の点灯及び消灯は、図４に示す如く、スイッチ体４をコイルバネ１０による附勢力に抗して押し下げると、スイッチ体４の略中央部方向の側面に突設した金属板製のスイッチ導電体３３ａが、該スイッチ体４に近接して立設したスイッチ支持柱体３５の上側面に張設した金属板製のスイッチ導電体３３ｂに接脱することにより行われるように形成されている。
すなわち、スイッチ体４を押し下げると、スイッチ体４の側面に突設したスイッチ導電体３３ａが、スイッチ支持柱体３５のスイッチ導電体３３ｂに接触することにより、リード線３４により前記スイッチ導電体３３ａとスイッチ導電体３３ｂと電池３６と照明灯１４とを結ぶ電気回路を閉路とし、照明灯１４が点灯される。
このように、スイッチ体４の側面に突設したスイッチ導電体３３ａと、スイッチ支持柱体３５のスイッチ導電体３３ｂとの接脱により、電源たる電池３６と照明灯１４とを結ぶ電気回路を開閉するスイッチ機構としての機能を有し，スイッチ体４を押し下げると、電池３６と照明灯１４とを結ぶ電気回路を閉路にして照明灯１４が点灯し，スイッチ体４を押し下げを解放して、コイルバネ１０の附勢力によりスイッチ体４を押し上げると、電池３６と照明灯１４とを結ぶ電気回路を開路にして照明灯１４が消灯するように設けられている。
【００２２】
【考案の効果】
以上説明したように本考案の覗き見可能に可動物体を設けてなるオルゴール装置は、中空体の内部に可動可能に設けた人形や動物等の任意形状に形成した可動物体と、中空体の内部に設けた可動物体を可動せしめるオルゴール装置と、中空体の内部を照明可能に設けた照明灯と、中空体の内部に貫通して突設し覗き見可能にした拡大覗見装置とからなり、中空体に設けたスイッチ体の操作によりオルゴール装置の駆動と照明灯の点灯とを可能にしたから、小さな中空体の内部で、可愛らしい人形や動物や昆虫や仮想動物等の任意形状の可動物体が、オルゴール装置によりメロディー旋律を発音しながら、恰も生きているが如く可働する状態を内部を拡大して覗き見ることにより、幼児・子供が有する好奇心を掻き立て、遊びを通して事物に対す深い観察研究心や探求心を植え付け、幼児・子供の将来の成長過程における学習意欲を向上せしめることができるという効果がある。
【００２３】
請求項２においては、中空体をハウス状体に形成したら，装置本体の全体が恰も物語等に登場する一場面の如く、本考案を見る幼児子供に外観意匠上の興味を掻き立てることができ、しかも、その屋根に煙突状のスイッチ体と内部を覗き込むための拡大覗見装置が設けられているら、幼児子供に知らす知らずに内部を内部を覗き込みたくなる興味と誘惑を起こさせるとができるという効果がある。
【００２４】
請求項６においては、可動物体が、外観形状又は意匠或いは色彩が互いに異なる複数に形成され，しかも、複数の可動物体が相互に親子や友達や楽器演奏等の特定の関連性を有するように設けられているから，可動する複数の可動物体が互いに特定の何らかの関連性をもっている為に，より一層興味や好奇心を引き立てて、拡大覗見装置により内部を覗き見た幼児や子供達が、自らの体験を通して、或いは、絵本や寝物語に聞いた物語や、映画やテレビで視聴した物語等を想起して、これらの物語等を連想し、或いは自ら物語を想像する手段とすることができるという効果がある。
【図面の簡単な説明】
【図１】本考案の斜視図である。
【図２】本考案の中空体の内部の斜視図である。
【図３】本考案の中空体の内部の一部省略の側面図である。
【図４】本考案の中空体の内部の一部省略の側面図である。
【図５】本考案のオルゴール装置による駆動機構を示す要部の斜視面図である。
【図６】本考案の伝動歯車による可動機構を示す要部の平面図である。
【符号の説明】
１　　装置本体
２　　中空体
２ａ　ハウス状体
３　　屋根
４　　スイッチ体
５　　拡大覗見装置
６　　接眼レンズ
７　　対物レンズ
８　　仕切床面
９　　スイッチ支持体
１０　　コイルバネ
１１　　仕切壁
１２　　可動物体
１３　　支持軸体
１４　　照明灯
１５　　物体
１６　　オルゴール装置
１７　　巻きネジ
１８　　駆動機構
１９　　ネジ巻ゼンマイ駆動機構体
２０　　伝動歯車
２１　　伝動歯車
２２　　伝動歯車
２３　　伝動歯車
２４　　伝動歯車
２５　　伝動歯車
２６　　伝動歯車
２７　　伝動歯車
２８　　伝動歯車
２９　　噛合回転軸
３０　　回転体
３１　　回転羽根体
３２　　ドラム
３３ａ　　スイッチ導電体
３３ｂ　　スイッチ導電体
３４　　リード線
３５　　スイッチ支持柱体
３６　　電池
【図１】
0003096849.tif 000003
【図２】
0003096849.tif 000004
【図３】
0003096849.tif 000005
【図４】
0003096849.tif 000006
【図５】
0003096849.tif 000007
【図６】
0003096849.tif 000008